(57)【要約】【課題】誤操作などにより運転操作画面のウィンドウ表示が阻害されないようにする。【解決手段】起動検出部１０３は、制御対象の機器操作のための運転操作画面を表示部１０８に表示させる運転操作プログラムの起動状態を検出する。表示制御部１０４は、起動検出部１０３が運転操作プログラムの起動状態を検出すると、運転操作プログラムによって表示された運転操作画面以外のウィンドウが表示部１０８に表示されることを制限するウィンドウ表示制御を実施する。【選択図】  図１
2018081516.tif 000002
【特許請求の範囲】
【請求項１】
ポインティングデバイスの操作による入力を受け付けるように構成された第１入力受付部と、
キーボードのキー操作による入力を受け付けるように構成された第２入力受付部と、
制御対象の機器操作のための運転操作画面を表示部に表示させる運転操作プログラムの起動状態を検出するように構成された起動検出部と、
前記起動検出部が前記運転操作プログラムの起動状態を検出すると、前記運転操作プログラムによって表示された運転操作画面以外のウィンドウが前記表示部に表示されることを制限するウィンドウ表示制御を実施するように構成された表示制御部と、
前記起動検出部が運転操作プログラムの起動状態を検出すると、前記第１入力受付部による前記運転操作画面に対する入力以外の入力受け付けを制限する入力制限制御を実施するように構成された入力制限制御部と、
前記第２入力受付部による所定の停止解除のキー操作の入力の受け付けにより、前記表示制御部よるウィンドウ表示制御を一時停止するように構成された表示制限解除部と、
前記表示制限解除部による前記ウィンドウ表示制御の一時停止状態における前記第１入力受付部による前記運転操作画面に対する入力の受け付けにより、前記表示制限解除部による前記ウィンドウ表示制御の一時停止を解除するように構成された表示制限復帰部と
を備えることを特徴とする表示装置。
【請求項２】
請求項１記載の表示装置において、
前記表示制御部は、前記起動検出部による運転操作プログラムの起動状態の検出により運転操作プログラムの運転操作画面以外のウィンドウ表示を禁止するウィンドウ表示制御を実施する
ことを特徴とする表示装置。
【請求項３】
請求項１または２記載の表示装置において、
入力制限制御部は、前記起動検出部による運転操作プログラムの起動状態の検出により、前記第１入力受付部による前記運転操作画面に対する入力以外の入力受け付けを禁止する入力制限制御を実施する
ことを特徴とする表示装置。
【請求項４】
請求項１〜３のいずれか１項に記載の表示装置において、
前記運転操作画面の中で表示される選択可能な第１ウィンドウと、前記運転操作画面の中で表示される非表示としたい第２ウィンドウとの組み合わせの情報が記憶されている表示制御情報記憶部と、
前記第１ウィンドウの選択が第１入力受付部により受け付けられたことにより、前記第２ウィンドウの表示を停止する画面内ウィンドウ表示制御を実施するように構成された運転操作画面内表示制御部と
を備えることを特徴とする表示装置。
【発明の詳細な説明】
【技術分野】
【０００１】
本発明は、プラントなどの制御に用いられる運転操作プログラムの運転操作画面を表示する表示装置に関する。
【背景技術】
【０００２】
例えば、プラントなどの制御には、制御システムが用いられ、さらに機器管理装置が用いられている。このような監視制御システムにおいては、ネットワークにより接続している現場に設置されたプロセス機器や各種センサなどのフィールド機器との間で信号をやりとりし、フィールド機器の動作を制御する。また、上記監視制御システムにおいては、フィールド機器の動作確認などの診断結果を表示し、パラメータ設定などを行っている。
【０００３】
例えば、監視制御システムは、フィールド機器より発生している様々な警報を、警報の項目毎に表示している。例えば、合成樹脂などの製造プロセスでは、原料の供給量，反応層における温度などが対応するセンサ（フィールド機器）で計測される。この計測結果が、所定の範囲を外れる値が計測された場合、フィールド機器は、計測をしている機器を識別する情報と共に警報をネットワークに出力（送出）する。このようにして送出された警報は、監視装置などにより収集され、警報表示部に表示される（特許文献１参照）。
【０００４】
一方、上述した機器管理装置は、現在、汎用的なコンピュータを用いて構築され、汎用的なオペレーティングシステムの上で、アプリケーションプログラムとして起動して用いられている。
【先行技術文献】
【特許文献】
【０００５】
【特許文献１】特開２０１０−２２４８９３号公報
【発明の概要】
【発明が解決しようとする課題】
【０００６】
ところで、製造プロセスでは、複数の生産ラインが稼働しており、また、１つの生産ラインは複数の工程（プロセス）から構成されている。加えて、各工程において用いられる製造装置には、多くの制御値が存在し、これに対応してセンサなどの多くのフィールド機器が動作している。従って、機器管理装置の運転操作画面には、多くの情報が表示されることになる。
【０００７】
このため、汎用的なコンピュータ上でアプリケーションプログラムとして運転操作プログラムを起動して用いる場合、コンピュータディスプレーの全域に運転操作画面が表示される状態として用いられている。
【０００８】
一方、システムのプラットフォームとなるコンピュータのオペレーティングシステムにおいては、近年、マルチタスク環境となっており、同時の複数のプログラムが実行可能とされている。また、上記オペレーティングシステムにおいては、操作画面はいわゆるウィンドウシステムとされ、同時に実行されている複数のプログラム各々に表示領域（ウィンドウ）が割り当てられ、画面出力が多重化されている。加えて、オペレーティングシステムにおいては、マウスなどのポインティングデバイスを用いた様々な操作が可能となっている。
【０００９】
このため、ポインティングデバイスの誤操作により、運転操作画面のウィンドウが閉じられるなどの状況が発生する。また、ポインティングデバイスの誤操作により、運転操作画面のウィンドウの表示領域が変更される場合も発生する。また、ポインティングデバイスの誤操作により、運転操作画面のウィンドウの上に重ねて他のウィンドウが表示されるなどの状況も発生する。このような状況が発生すると、全画面表示状態では運転操作画面に表示されるはずの警報表示が、視認不可能となるなど、重要な情報が確認不可能となる場合が発生して大きな問題となる。
【００１０】
本発明は、以上のような問題点を解消するためになされたものであり、誤操作などにより運転操作画面のウィンドウ表示が阻害されないようにすることを目的とする。
【課題を解決するための手段】
【００１１】
本発明に係る表示装置は、ポインティングデバイスの操作による入力を受け付けるように構成された第１入力受付部と、キーボードのキー操作による入力を受け付けるように構成された第２入力受付部と、制御対象の機器操作のための運転操作画面を表示部に表示させる運転操作プログラムの起動状態を検出するように構成された起動検出部と、起動検出部が運転操作プログラムの起動状態を検出すると、運転操作プログラムによって表示された運転操作画面以外のウィンドウが表示部に表示されることを制限するウィンドウ表示制御を実施するように構成された表示制御部と、起動検出部が運転操作プログラムの起動状態を検出すると、第１入力受付部による運転操作画面に対する入力以外の入力受け付けを制限する入力制限制御を実施するように構成された入力制限制御部と、第２入力受付部による所定の停止解除のキー操作の入力の受け付けにより、表示制御部よるウィンドウ表示制御を一時停止するように構成された表示制限解除部と、表示制限解除部によるウィンドウ表示制御の一時停止状態における第１入力受付部による運転操作画面に対する入力の受け付けにより、表示制限解除部によるウィンドウ表示制御の一時停止を解除するように構成された表示制限復帰部とを備える。
【００１２】
上記表示装置において、表示制御部は、起動検出部による運転操作プログラムの起動状態の検出により運転操作プログラムの運転操作画面以外のウィンドウ表示を禁止するウィンドウ表示制御を実施する。
【００１３】
上記表示装置において、入力制限制御部は、起動検出部による運転操作プログラムの起動状態の検出により、第１入力受付部による運転操作画面に対する入力以外の入力受け付けを禁止する入力制限制御を実施する。
【００１４】
上記表示装置において、運転操作画面の中で表示される選択可能な第１ウィンドウと、運転操作画面の中で表示される非表示としたい第２ウィンドウとの組み合わせの情報が記憶されている表示制御情報記憶部と、第１ウィンドウの選択が第１入力受付部により受け付けられたことにより、第２ウィンドウの表示を停止する画面内ウィンドウ表示制御を実施するように構成された運転操作画面内表示制御部とを備えるようにしてもよい。
【発明の効果】
【００１５】
以上説明したように、本発明によれば、制御対象の機器管理のための運転操作プログラムの起動状態を検出すると、運転操作プログラムの運転操作画面以外のウィンドウ表示を制限するので、誤操作などにより運転操作画面のウィンドウ表示が阻害されないという優れた効果が得られる。
【図面の簡単な説明】
【００１６】
【図１】図１は、本発明の実施の形態における表示装置の構成を示す構成図である。
【図２】図２は、本発明の実施の形態における表示装置の動作例を説明するためのフローチャートである。
【図３】図３は、表示部１０８における表示例を示す説明図である。
【図４】図４は、表示部１０８における表示例を示す説明図である。
【発明を実施するための形態】
【００１７】
以下、本発明の実施の形態について図を参照して説明する。図１は、本発明の実施の形態における表示装置の構成を示す構成図である。この表示装置は、第１入力受付部１０１、第２入力受付部１０２、起動検出部１０３、表示制御部１０４、入力制限制御部１０５、表示制限解除部１０６、表示制限復帰部１０７、表示部１０８を備える。
【００１８】
第１入力受付部１０１は、マウスなどのポインティングデバイス（不図示）の操作による入力を受け付ける。第２入力受付部１０２は、キーボード（不図示）のキー操作による入力を受け付ける。起動検出部１０３は、制御対象の機器操作のための運転操作画面を表示部１０８に表示させる運転操作プログラムの起動状態を検出する。運転操作プログラムを含めた各プログラムは、プログラム記憶部１０９に記憶されている。入力された起動指示により、プログラム制御部１１０が、プログラム記憶部１０９に記憶されている運転操作プログラムを起動する。
【００１９】
表示制御部１０４は、起動検出部１０３が運転操作プログラムの起動状態を検出すると、運転操作プログラムによって表示された運転操作画面以外のウィンドウが表示部１０８に表示されることを制限するウィンドウ表示制御を実施する。例えば、表示制御部１０４は、起動検出部１０３による運転操作プログラムの起動状態の検出により、運転操作プログラムの運転操作画面以外のウィンドウ表示を禁止するウィンドウ表示制御を実施する。
【００２０】
入力制限制御部１０５は、起動検出部１０３が運転操作プログラムの起動状態を検出すると、第１入力受付部１０１による運転操作画面に対する入力以外の入力の受け付けを制限する入力制限制御を実施する。例えば、入力制限制御部１０５は、起動検出部１０３による運転操作プログラムの起動状態の検出により、第１入力受付部１０１による運転操作画面に対する入力以外の入力受け付けを禁止する入力制限制御を実施する。
【００２１】
表示制限解除部１０６は、第２入力受付部１０２による所定の停止解除のキー操作の入力受け付けにより、表示制御部１０４よるウィンドウ表示制御を一時停止する。例えば、停止解除のキー操作は、「Ｃｔｒｌ」キーと「Ｅｓｃ」キーとの同時入力である。この同時入力を第２入力受付部１０２が受け付けると、表示制限解除部１０６は、表示制御部１０４よるウィンドウ表示制御を一時停止する。
【００２２】
表示制限復帰部１０７は、表示制限解除部１０６によるウィンドウ表示制御の一時停止状態における第１入力受付部１０１による運転操作画面に対する入力の受け付けにより、表示制限解除部１０６によるウィンドウ表示制御の一時停止を解除する。例えば、第１入力受付部１０１による運転操作画面に対する入力は、マウスなどのポインティングデバイスを用いた運転操作画面の上でのボタン操作入力（クリック動作）である。このような運転操作画面に対する入力により、表示制限復帰部１０７は、ウィンドウ表示制御の一時停止を解除する。これにより、表示制御部１０４による入力制限制御が復帰する。
【００２３】
また、実施の形態における表示装置は、表示制御情報記憶部１１１と、運転操作画面内表示制御部１１２とを備える。表示制御情報記憶部１１１は、運転操作画面の中で表示される選択可能な第１ウィンドウと、運転操作画面の中で表示される非表示としたい第２ウィンドウとの組み合わせの情報が記憶されている。例えば、運転操作画面の中で、警報に関する情報を表示するウィンドウを第１ウィンドウとして設定し、これ以外のウィンドウを第２ウィンドウとして設定する。このような設定情報を、表示制御情報記憶部１１１に記憶しておけばよい。
【００２４】
運転操作画面内表示制御部１１２は、第１ウィンドウの選択が第１入力受付部１０１により受け付けられたことにより、運転操作画面以外のウィンドウ表示の制限に加え、第２ウィンドウの表示を停止する画面内ウィンドウ表示制御を実施する。
【００２５】
次に、実施の形態における表示装置の動作例について、図２のフローチャートを用いて説明する。
【００２６】
まず、ステップＳ２０１で、起動検出部１０３が、制御対象の機器操作のための運転操作画面を表示部１０８に表示させる運転操作プログラムの起動状態を検出すると（ステップ２０１のｙｅｓ）、ステップＳ２０２で、表示制御部１０４が、運転操作プログラムによって表示された運転操作画面以外のウィンドウが表示部１０８に表示されることを制限するウィンドウ表示制御を実施する。
【００２７】
次に、ステップＳ２０３で、入力制限制御部１０５が、第１入力受付部１０１による運転操作画面に対する入力以外の入力の受け付けを禁止する入力制限制御を実施する。これより、例えば、ポインティングデバイスの誤操作により、運転操作プログラムの動作が終了するなどの問題が抑制できるようになる。次に、ステップＳ２０４で、運転操作プログラムが終了されたかどうかを判断する。例えば、プログラム制御部１１０により、運転操作プログラムの終了が判断される。
【００２８】
ステップＳ２０４で、運転操作プログラムの終了が判断されない場合（ステップＳ２０４のｎｏ）、ステップＳ２０５で、第１入力受付部１０１が、表示制御情報記憶部１１１に記憶されている第１ウィンドウの選択を受け付けると（ステップＳ２０５のｙｅｓ）、ステップＳ２０６で、運転操作画面内表示制御部１１２が、第２ウィンドウの表示を停止する画面内ウィンドウ表示制御を実施する。この制御は、運転操作画面以外のウィンドウ表示の制限に加えて実施される。第２ウィンドウは、第１ウィンドウの選択により非表示としたい対象として、表示制御情報記憶部１１１に記憶（設定）されている。
【００２９】
次に、ステップＳ２０７で、第１入力受付部１０１が、運転操作画面内において、第１ウィンドウ以外の他のウィンドウの選択を受け付けると（ステップＳ２０７のｙｅｓ）、ステップＳ２０８に移行する。
【００３０】
ステップＳ２０８で、第２入力受付部１０２が、設定されている停止解除のキー操作の入力を受け付けると（ステップＳ２０８のｙｅｓ）、ステップＳ２０９で、表示制限解除部１０６が、表示制御部１０４よるウィンドウ表示制御を一時停止する。この状態では、運転操作画面以外のウィンドウ表示が実施可能な状態となる。
【００３１】
次いで、ステップＳ２１０で、第１入力受付部１０１が、運転操作画面に対する入力を受け付けると（ステップＳ２１０のｙｅｓ）、ステップＳ２１１で、表示制限復帰部１０７が、表示制限解除部１０６によるウィンドウ表示制御の一時停止を解除する。例えば、マウスなどのポインティングデバイスを用いた運転操作画面の上でのボタン操作入力（クリック動作）により、ウィンドウ表示制御が復帰する。
【００３２】
なお、ステップＳ２０４で、運転操作プログラムの終了が判断されると（ステップ２０４のｙｅｓ）、ステップＳ２１２で、表示制御部１０４が、表示制限制御を終了する。次いで、ステップＳ２１３で、入力制限制御部１０５が、入力制限制御を終了する。
【００３３】
例えば、用いられているオペレーティングシステムとしてマイクロソフト社製のウィンドウズ（登録商標）を用い、図３に示すように、表示部１０８の全域に運転操作画面１８１を表示させている場合を考える。この場合、表示部１０８の周縁部におけるポインティングデバイスの誤操作などにより、タスクバー１８２が表示される。このようにタスクバー１８２が表示されると、運転操作画面１８１の一部が隠れて視認不可能な状態となる。
【００３４】
タスクバー１８２により隠される運転操作画面１８１の一部には、アラーム監視領域などが配置されている場合が多い。タスクバー１８２の表示により、アラーム監視領域が視認不可能となれば、アラーム発生などが見落とされる場合も考えられ、問題となる。
【００３５】
上述した状態に対し、実施の形態によれば、運転操作画面１８１が表示される運転操作プログラムの起動状態では、タスクバー１８２の表示が禁止される。この結果、表示部１０８の周縁部におけるポインティングデバイスの誤操作が発生しても、図４に示すように、表示部１０８の全域に運転操作画面１８１が表示される状態が維持される。この結果、アラーム監視領域が視認不可能となる状態は発生せず、アラーム発生の見落としなどが抑制できるようになる。
【００３６】
以上に説明したように、本発明によれば、制御対象の機器管理のための運転操作プログラムの起動状態を検出すると、運転操作プログラムの運転操作画面以外のウィンドウ表示を制限するようにしたので、誤操作などにより運転操作画面のウィンドウ表示が阻害されないようになる。
【００３７】
なお、上述した表示装置は、ＣＰＵ（Central Processing Unit；中央演算処理装置）と主記憶装置と外部記憶装置とネットワーク接続装置となどを備えたコンピュータ機器であり、主記憶装置に展開されたプログラムによりＣＰＵが動作することで、上述した各機能が実現される。
【００３８】
なお、本発明は以上に説明した実施の形態に限定されるものではなく、本発明の技術的思想内で、当分野において通常の知識を有する者により、多くの変形および組み合わせが実施可能であることは明白である。例えば、上述では、オペレーティングシステムとしてウィンドウズ（登録商標）を例示したが、これに限るものではなく、リナックス（登録商標）などの他のオペレーティングシステムにおいても同様である。
【符号の説明】
【００３９】
１０１…第１入力受付部、１０２…第２入力受付部、１０３…起動検出部、１０４…表示制御部、１０５…入力制限制御部、１０６…表示制限解除部、１０７…表示制限復帰部、１０８…表示部、１０９…プログラム記憶部、１１０…プログラム制御部、１１１…表示制御情報記憶部、１１２…運転操作画面内表示制御部。
【図１】
2018081516.tif 000003
【図２】
2018081516.tif 000004
【図３】
2018081516.tif 000005
【図４】
2018081516.tif 000006